(57)【要約】【課題】揺動部材の操作部の部分をその下面側から容易且つ均一に照光することができ、耐久性が向上し、小型化を図ることもできる揺動式電子部品を提供する。【解決手段】支点を中心に揺動自在に支持される揺動部材５０を具備し、揺動部材５０に設けた操作部５１を押圧して揺動部材５０を揺動することで揺動部材５０に設けた押圧部５９がスイッチ３３を押圧する構造の揺動式電子部品１である。揺動部材５０の支点を、揺動部材５０に設けた突起５７の先端を基台１０に設けた突起受け２１に係合することで構成する。揺動部材５０の操作部５１よりも押圧部５９の方を支点から離した位置に設置する。操作部５１の真下に照光手段３９を設置する。【選択図】　　　図３
2004055217.tif 000002
【特許請求の範囲】
【請求項１】
支点を起点に揺動する揺動部材を具備し、
前記揺動部材に設けた操作部を押圧して揺動部材を揺動することによって揺動部材に設けた押圧部がスイッチを押圧する構造の揺動式電子部品において、
前記支点を起点とし、前記押圧部の位置が前記操作部の位置よりも離れた位置に設置されることを特徴とする揺動式電子部品。
【請求項２】
前記操作部の下に、該操作部を下面側から照明する照光手段を設置したことを特徴とする請求項１記載の揺動式電子部品。
【請求項３】
支点を起点に揺動する揺動部材を具備し、
前記揺動部材に設けた操作部を押圧して揺動部材を揺動することによって揺動部材に設けた押圧部がスイッチを押圧する構造の揺動式電子部品において、
前記揺動部材の支点は、揺動部材とこれに対向する対向部材の内の何れか一方に設けた突起の先端を他方に設けた突起受けに係合することで構成されていることを特徴とする揺動式電子部品。
【発明の詳細な説明】
【０００１】
【発明の属する技術分野】
本発明は揺動式電子部品に関するものである。
【０００２】
【従来の技術】
従来、支点を中心に揺動部材を揺動することでスイッチをオンオフする揺動式電子部品が各種電子部品に使用されている。図５はこの種の従来の揺動式電子部品２００を示す分解斜視図である。同図に示すようにこの揺動式電子部品２００は、基台２６０上に載置したスイッチ基板２５０の上に揺動部材２１０を設置して構成されている。ここで揺動部材２１０は合成樹脂製であり、固定部２１１と操作部２１５間を二本のヒンジ２２１，２２１によって連結して構成されている。固定部２１１の下面には二本の突起状の取付部２１３，２１３が設けられている。操作部２１５は略円板形状であり、その下面中央には下方向に突出する押圧部２１９が形成されている。ヒンジ２２１，２２１は容易に撓むように所定長さを有し、且つ薄板状に形成されている。
【０００３】
一方スイッチ基板２５０はフレキシブル基板製であり、その上にスイッチ２７１を設けている。スイッチ２７１はスイッチ基板２５０上に設けたスイッチパターン上に弾性金属板製のドーム形状の反転板２７３を取り付けて構成されている。またスイッチ基板２５０と基台２６０には、これらを貫通する二つの貫通孔からなる取付部挿通部２８０，２８０が設けられている。
【０００４】
そしてスイッチ基板２５０上に揺動部材２１０を載置して揺動部材２１０の取付部２１３，２１３を取付部挿通部２８０，２８０に挿入し、基台２６０の下面側に突出した取付部２１３，２１３の先端を熱カシメして固定する。これによって揺動部材２１０の押圧部２１９は反転板２７３の中央に当接又は接近した位置に設置される。
【０００５】
そして操作部２１５を押圧すると、操作部２１５はヒンジ２２１，２２１の固定部２１１ヘの付け根を支点としてヒンジ２２１，２２１が撓むことで下降し、その下面の押圧部２１９が反転板２７３を押圧してこれを反転し、スイッチ２７１をオンする。この揺動式電子部品２００によれば、ピアノの鍵盤のような押圧操作感覚が得られるので、このような操作感覚の電子部品を得るためには好適な構造である。
【０００６】
しかしながら上記従来の揺動式電子部品２００には、以下のような問題点があった。
▲１▼操作部２１５の真下に反転板２７３等のスイッチ機構を設置しているので、操作部２１５をその下面側から照光しようとした場合、スイッチ機構が邪魔になって操作部２１５の部分を容易に均一に照光することが困難であった。
【０００７】
▲２▼操作部２１５を揺動させるために設けるヒンジ２２１，２２１は、耐久性を保持するためある程度の厚みと長さが必要となり、揺動式電子部品２００の小型化が図れなかった。特に支点と操作部２１５間の間隔を短くしたいという要望に答えられなかった。また例えヒンジ２２１，２２１をある程度の厚みと長さで構成したとしても、ヒンジ２２１，２２１は動作の度に撓められるので耐久性には限界があり、更なる耐久性の向上が求められていた。
【０００８】
【発明が解決しようとする課題】
本発明は上述の点に鑑みてなされたものでありその目的は、揺動部材の操作部の部分をその下面側から容易且つ均一に照光することができ、また耐久性が向上し、小型化を図ることもできる揺動式電子部品を提供することにある。
【０００９】
【課題を解決するための手段】
上記問題点を解決するため本発明にかかる揺動式電子部品は、支点を起点に揺動する揺動部材を具備し、前記揺動部材に設けた操作部を押圧して揺動部材を揺動することによって揺動部材に設けた押圧部がスイッチを押圧する構造の揺動式電子部品において、前記支点を起点とし、前記押圧部の位置が前記操作部の位置よりも離れた位置に設置されることを特徴とする。
【００１０】
また本発明にかかる揺動式電子部品は、前記操作部の下に、該操作部を下面側から照明する照光手段を設置したことを特徴とする。
【００１１】
また本発明にかかる揺動式電子部品は、支点を起点に揺動する揺動部材を具備し、前記揺動部材に設けた操作部を押圧して揺動部材を揺動することによって揺動部材に設けた押圧部がスイッチを押圧する構造の揺動式電子部品において、前記揺動部材の支点は、揺動部材とこれに対向する対向部材の内の何れか一方に設けた突起の先端を他方に設けた突起受けに係合することで構成されていることを特徴とする。
【００１２】
【発明の実施の形態】
以下、本発明の実施の形態を図面を参照して詳細に説明する。
図１は本発明の一実施形態にかかる揺動式電子部品１の分解斜視図である。同図に示すように揺動式電子部品１は、対向部材（以下「基台」という）１０と、スイッチ基板３０と、揺動部材５０とを具備して構成されている。以下各構成部品について説明する。
【００１３】
基台１０は合成樹脂を成形することで略平板状に形成されており、その上面には上方向に突出する一対の係止部１１，１１と、係止部１１，１１から離れた位置で突出する一本の係止部１５とが設けられている。係止部１１，１１の先端にはそれぞれ内側（対向する側）方向に向かって突出する爪状の係止突起１３，１３が設けられており、また係止部１５の先端にも前記係止部１１方向に向かって突出する爪状の係止突起１７が設けられている。係止部１５の根元近傍部分には上下に貫通するガイド係合部１９が設けられている。また基台１０上面の前記一対の係止部１１，１１の根元近傍部分には、一対の円錐状に凹む突起受け２１，２１が設けられている。
【００１４】
次にスイッチ基板３０は、可撓性を有する合成樹脂フイルム（例えばポリエチレンテレフタレートフイルム）製のフレキシブル基板３１上に、スイッチ３３と、照光手段（以下この実施形態に合わせて「発光素子」という）３９とを取り付けて構成されている。スイッチ３３は、フレキシブル基板３１上に形成した図示しないスイッチパターン上に反転板（以下この実施形態に合わせて「可動接点板」という）３５を取り付けて構成されている。発光素子３９は発光ダイオード等で構成され、フレキシブル基板３１上に形成した図示しない回路パターンに接続した状態で、図示しない金具等の機械的固定手段や半田付け等によってフレキシブル基板３１に固定されている。なおスイッチ基板３０のスイッチ３３を設けた側の一隅部には、下記する揺動部材５０のガイド部６１を挿通するための切り欠き部４１が設けられている。
【００１５】
揺動部材５０は透明（半透明を含む）な合成樹脂製の成形品であり、略長方形の板状に形成され、その略中央には上方向に突出する円形の操作部５１が設けられている。操作部５１の下面は円形の凹部５２（図３参照）となっている。また操作部５１の一方の側（図では左側）であって前記一対の係止部１１，１１に対向する両側辺には係止部１１，１１の係止突起１３，１３を係止する切り欠き状の係合部５５，５５が設けられている。また揺動部材５０の前記係合部５５，５５を設けた側の端部の下面には二本の突起５７，５７が突設されている。これら突起５７，５７はそれぞれ前記基台１０の突起受け２１，２１に対向する位置に設けられ、その先端は球面状に形成されている。一方操作部５１の他方の側（図では右側）の下面には押圧部５９が設けられ、その側部には突起状のガイド部６１が突設されている。押圧部５９は前記スイッチ基板３０の可動接点板３５の中央に対向する位置に設けられ、一方ガイド部６１は基台１０のガイド係合部１９に対向する位置に設けられている。さらに揺動部材５０の他方の側の一角部には、前記係止部１５の係止突起１７に係止する切り欠き状の係合部６３が設けられている。
【００１６】
そして揺動式電子部品１を組み立てるには、基台１０上にスイッチ基板３０を載置して図示しない固定手段で固定し、次にその上に揺動部材５０を載置して揺動部材５０の二つの突起５７，５７を基台１０の突起受け２１，２１に挿入・係合し、同時に一対の係合部５５，５５と一つの係合部６３にそれぞれ基台１０の係止突起１３，１３と係止突起１７とをスナップイン方式で係止し、これによって図２に示す揺動式電子部品１を完成する。なおこのとき揺動部材５０のガイド部６１は基台１０のガイド係合部１９に挿入されている。
【００１７】
図３は図２に示す揺動式電子部品１の断面図である。同図及び図１，図２に示すように揺動部材５０は、突起５７，５７の先端面が基台１０の突起受け２１，２１に当接している部分を支点（中心）にして揺動自在に支持されている。そして一対の係合部５５，５５に係止突起１３，１３を係止しているので、揺動部材５０の支点近傍部分の上方向への移動が規制されて突起５７，５７は突起受け２１，２１から抜け出ない。また係合部６３を係止突起１７に係止しているので、揺動部材５０の先端の上方向への移動も規制され、この点からも揺動部材５０が基台１０から外れることはない。
【００１８】
また揺動部材５０の押圧部５９は、操作部５１よりも前記支点から離れた位置に位置し、可動接点板３５の中央に対向して接近又は当接している。一方発光素子３９は操作部５１下面の中央（凹部５２の中央）に位置している。なおこの揺動式電子部品１の上面は図３に点線で示すように通常はケース１００によって覆われ、ケース１００に設けた開口１０１から操作部５１が露出する。
【００１９】
そして操作部５１を押圧すれば、揺動部材５０は前記支点を中心に揺動し、その押圧部５９が可動接点板３５を押圧してこれを反転し、クリック感覚を生じると同時にスイッチ３３がオンする。操作部５１への押圧を解除すると、可動接点板３５の弾性復帰力によって揺動部材５０は元の位置に押し上げられ、スイッチ３３はオフする。揺動部材５０の上下動は、ガイド部６１がガイド係合部１９内をガイドされながら移動することでスムーズに行なえる。
【００２０】
一方発光素子３９を発光すると、透明な揺動部材５０の操作部５１がその裏面側から照らし出され、所望の好適な装飾が行なえる。本発明においては、操作部５１と押圧部５９の設置位置を異ならせているので、操作部５１の下部にスイッチ機構は存在せず、このため操作部５１の部分に容易に照光手段を設置することができる。しかも操作部５１にはスイッチ機構用の押圧部等がないので、操作部５１を効果的に照光するために最適な形状・構造にすることができ、照光用の多彩なデザインも容易に実現できる。
【００２１】
また上記実施形態においては、揺動部材５０は支点を中心に揺動するだけなので何ら撓む部分はなく、従って揺動部材５０の各部の厚みを薄くする必要はなく、耐久性が向上する。
【００２２】
また上記実施形態においては、支点となる突起５７，５７先端面の形状を球面状とし、突起受け２１，２１の形状を円錐状としたので、両者は揺動部材５０が揺動する際もガタなく確実に線接触し、好適である。但し本発明にかかる突起５７と突起受け２１の形状に種々の変更が可能であることは言うまでもなく、例えば図４に示すように、突起５７−２，５７−２の形状を平板状としてその先端辺を円形に形成し、一方突起受け２１−２，２１−２の形状を突起５７−２，５７−２の先端辺形状に合わせた形状の凹部としてもよい。
【００２３】
なお操作部５１よりも押圧部５９の設置位置の方を支点から離した位置に設置することによって、操作部５１の部分を容易に照光することだけを目的とするのであれば、必ずしも支点として突起５７と突起受け２１を係合する上記各実施形態の支点構造とする必要はなく、例えば図５に示す従来例で用いたヒンジ機構を支点構造として用いても良い。
【００２４】
逆に耐久性の向上等の突起５７と突起受け２１を係合する支点構造による効果だけを目的とするのであれば、操作部５１よりも押圧部５９の設置位置の方を支点から離した位置に設置する構造とする必要はなく、例えば図５に示す従来例のように操作部２１５の下にスイッチ機構を設ける構造としても良い。
【００２５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記実施形態では、揺動部材５０の支点を、揺動部材５０に設けた突起５７，５７をこれに対向する部材である基台１０の突起受け２１，２１に係合することで構成したが、逆に揺動部材５０に凹状の突起受け２１，２１を設け、これに対向する対向部材である基台１０にこれに係合する突起５７，５７を設けることで支点を構成しても良い。
【００２６】
また本実施形態での支点は、揺動部材５０の一端に設けたが、この支点を揺動部材５０の中央に設け、左右に揺動するいわゆるシーソー型としてもよい。
【００２７】
また上記実施形態では操作部５１の下に発光ダイオード等からなる発光素子３９を設置したが、発光素子の代わりに導光体の光放射口を操作部５１の下に設置しても良い。要は操作部５１の下の位置に、この操作部５１を下面側から照明する照光手段を設置するものであればどのような構造であっても良い。
【００２８】
【発明の効果】
以上詳細に説明したように本発明によれば以下のような優れた効果を有する。
▲１▼揺動部材の操作部と押圧部とを異なる場所に設置したので、操作部の部分にスイッチ機構は存在せず、操作部の部分に容易に照光手段を設置でき、操作部を容易且つ均一に照光できるとともに、操作部の形状・構造・色彩などの設計を照光のために制限なく自由に行なえる。
【００２９】
▲２▼揺動部材は支点を中心に揺動するだけなので撓む部分が必要なく、揺動部材の各部の厚みを薄くしなくてもよいので耐久性が向上する。
【００３０】
▲３▼揺動部材には撓む部分がないので、支点から操作部までの距離を短くしても問題なく容易に揺動部材を揺動でき、従って揺動式電子部品の小型化が図れる。
【図面の簡単な説明】
【図１】本発明の一実施形態にかかる揺動式電子部品１の分解斜視図である。
【図２】揺動式電子部品１の斜視図である。
【図３】揺動式電子部品１の断面図である。
【図４】他の実施形態にかかる突起５７−２と突起受け２１−２の部分を示す要部斜視図である。
【図５】従来の揺動式電子部品２００を示す要部分解斜視図である。
【符号の説明】
１　揺動式電子部品
１０　基台（対向部材）
１１　係止部
１３　係止突起
１５　係止部
１７　係止突起
１９　ガイド係合部
２１　突起受け
３０　スイッチ基板
３１　フレキシブル基板
３３　スイッチ
３５　反転板（可動接点板）
３９　照光手段（発光素子）
４１　切り欠き部
５０　揺動部材
５１　操作部
５２　凹部
５５　係合部
５７　突起
５９　押圧部
６１　ガイド部
６３　係合部
１００　ケース
１０１　開口
２１−２　突起受け
５７−２　突起
【図１】
2004055217.tif 000003
【図２】
2004055217.tif 000004
【図３】
2004055217.tif 000005
【図４】
2004055217.tif 000006
【図５】
2004055217.tif 000007